(57)【要約】【課題】表示内容が他人に見られることを防止すること。【解決手段】リムーバブルメディア４１が取り外されたことが検出されると、記憶性液晶表示体１１の表示内容を消去するようにした。そのため、情報表示装置１の使用を終え、利用者がリムーバブルメディア４１を取り外したときに、記憶性液晶表示体１１の表示内容を消去することができ、その結果、記憶性液晶表示体１１の表示内容が他人に見られることを防止することができる。【選択図】図２
2007219797.tif 000002
【特許請求の範囲】
【請求項１】
自装置に取り付けられたリムーバブルメディアから情報を読み出し、その読み出した情報を記憶性表示体に表示する情報表示装置であって、
前記リムーバブルメディアが自装置から取り外されたことを検出する検出手段と、前記リムーバブルメディアが取り外されたことが検出されると、前記記憶性表示体の表示内容を消去する表示消去手段と、を備えたことを特徴とする情報表示装置。
【請求項２】
前記リムーバブルメディアが取り外されたことが検出されると、自装置内に保存されている前記情報に関するデータを消去するデータ消去手段を備えることを特徴とする請求項１に記載の情報表示装置。
【発明の詳細な説明】
【技術分野】
【０００１】
本発明は、自装置に取り付けられたリムーバブルメディアから情報を読み出し、その読み出した情報を記憶性表示体に表示する情報表示装置に関する。
【背景技術】
【０００２】
従来、この種の情報表示装置としては、例えば、利用者にリムーバルブメディアを取り付けさせ、そのリムーバブルメディアから情報を読み出し、その読み出した情報を記憶性表示体（電力供給を遮断しても表示内容を保持する表示体。例えば、コレステリック液晶表示体）に表示することで、利用者に前記情報を閲覧させるようにしたものがある。
このような情報表示装置にあっては、例えば、電源スイッチがOFF状態とされた場合、記憶性表示体の表示内容を消去することで、それまでの表示内容が他人に見られてしまうことを防止するようになっているものがある（例えば、特許文献１参照）。
【特許文献１】特開２００５−１７２８４３号公報
【発明の開示】
【発明が解決しようとする課題】
【０００３】
しかしながら、上記従来の情報表示装置にあっては、例えば、利用者が電源スイッチをＯＦＦ状態とすることを忘れた場合、表示内容が記憶性表示体に表示されたままとなってしまい、その結果、それまでの表示内容が他人に見られてしまう恐れがあった。
本発明は、上記従来の情報表示装置の未解決の問題点を解決することを目的とするものであって、記憶性表示体の表示内容が他人に見られることを防止できる情報表示装置を提供することを課題とする。
【課題を解決するための手段】
【０００４】
上記課題を解決するために、本発明の情報表示装置は、自装置に取り付けられたリムーバブルメディアから情報を読み出し、その読み出した情報を記憶性表示体に表示する情報表示装置であって、前記リムーバブルメディアが自装置から取り外されたことを検出する検出手段と、前記リムーバブルメディアが取り外されたことが検出されると、前記記憶性表示体の表示内容を消去する表示消去手段と、を備えたことを特徴とする。
【０００５】
なお、リムーバブルメディアが自装置から取り外されたことを検出する方法としては、例えば、リムーバブルメディアの端子部分が自装置から離れたことを検出する方法、リムーバブルメディアを取り外すためのリジェクトボタンがある場合にそのリジェクトボタンが操作されたことを検出する方法、及びリムーバブルメディアを覆うカバーがある場合にはそのカバーが開けられたことを検出する方法等が挙げられる。
【０００６】
このような構成により、情報表示装置の使用を終え、利用者がリムーバブルメディアを取り外したときに、記憶性表示体の表示内容を消去することができ、その結果、記憶性表示体の表示内容が他人に見られることを防止することができる。
また、前記リムーバブルメディアが取り外されたことが検出されると、自装置内に保存されている前記情報に関するデータを消去するデータ消去手段を備えるようにしてもよい。
【０００７】
このような構成により、利用者がリムーバブルメディアを取り外したときに、自装置内に保存されている表示内容に関するデータを消去することができ、その結果、そのデータが他人に読み取られることを防止することができる。
【発明を実施するための最良の形態】
【０００８】
以下、本発明の情報表示装置の一実施形態を図面に基づいて説明する。
図１は、本実施形態の情報表示装置の外形を斜視図である。図２は、本実施形態の情報表示装置の内部構成を示すブロック図である。
この図２に示すように、情報表示装置１は、キーボタン２、Ｉ／Ｏ(Input Output)３、コネクタ４、記憶装置制御部５、ＲＯＭ(Read Only Memory)６、ＲＡＭ(Random Access Memory)７、ＣＰＵ８、ＶＲＡＭ９、ディスプレイ制御部１０、記憶性液晶表示体１１、電源制御部１２、及びバッテリ１３を含んで構成される。
【０００９】
キーボタン２は、記憶性液晶表示体１１に表示されている情報を他の情報に切り換えるときに操作させる押し下げボタンである。そして、キーボタン２は、他の情報に切り換えるための操作が行われると、他の情報に切り換えさせるコマンド（情報表示コマンド）をＩ／Ｏ２を介してＣＰＵ８に出力する。
Ｉ／Ｏ３は、キーボタン２とＣＰＵ８との間の情報表示コマンドを伝達する。
【００１０】
コネクタ４は、表示対象となる情報のデータを格納するリムーバブルメディア４１を取り付け可能に構成される。そして、コネクタ４は、取り付けられたリムーバブルメディア４１とＣＰＵ８との間のデータ転送を制御する。
記憶装置制御部５は、コネクタ４にリムーバブルメディア４１が取り付けられているか否かを検出する。そして、記憶装置制御部５は、リムーバブルメディア４１が取り付けられていないことが検出された場合には（取り外されたことが検出された場合には）、その旨を示す信号（取り外し信号）をＣＰＵ８に出力する。
【００１１】
ＲＯＭ６は、ＣＰＵ８により実行される基本制御プログラムやアプリケーションプログラム等の各種プログラム及びこれら各種プログラムに係るデータを格納する。
ＲＡＭ７は、ＣＰＵ８がプログラムを実行するときに各種プログラムを展開するワークエリアを形成するとともに、ＣＰＵ８により実行される各種プログラムに係るデータや、表示対象である情報のデータを記憶するメモリ領域を形成する。
【００１２】
ＣＰＵ８は、ＲＯＭ６に格納されている各種プログラムを読み込み、それらをＲＡＭ７内に形成されるワークエリアに展開して各部２〜１３を制御する。
具体的には、ＣＰＵ８は、キーボタン２から情報表示コマンドが出力されると、情報表示処理を実行する。そして、情報表示処理によって、ムーバブルメディア４１から表示対象のデータを読み出してＲＡＭ７に格納し、その格納したデータに基づいてページ画像を生成してＶＲＡＭ９に格納し、そのページ画像を記憶性液晶表示体１１に描画させるコマンド（描画コマンド）をディスプレイ制御部１０に出力する。
【００１３】
また、ＣＰＵ８は、記憶装置制御部５から取り外し信号が出力されると、情報消去処理を実行する。そして、情報消去処理によって、ＶＲＡＭ１１に格納されているページ画像のデータ値を「０」とし、ＲＡＭ７に格納されているデータを消去し、記憶性液晶表示体１１に黒色を描画させる描画コマンドをディスプレイ制御部１０に出力する。
ＶＲＡＭ９は、ＣＰＵ８で生成されたページ画像を格納する。
【００１４】
ディスプレイ制御部１０は、ＣＰＵ８から描画コマンドが出力されると、ＶＲＡＭ９に格納されているページ画像を記憶性液晶表示体１１に描画する。
記憶性液晶表示体１１は、電力供給が停止されても表示内容を保持できる記憶性表示体１１１（コレステリック液晶）を含んで構成される。そして、記憶性液晶表示体１１は、ディスプレイ制御部１０の描画動作によって表示内容が書き換えられる。
【００１５】
電源制御部１２は、ＣＰＵ８からの指令に従って、情報表示装置１の電源スイッチの状態（ＯＮ状態、ＯＦＦ状態）を制御する。
バッテリ１３は、情報表示装置１の電源スイッチがオン状態とされると、情報表示装置１の各部２〜１２に電力を供給する。
【００１６】
＜情報表示装置の機能構成＞
図３は、本実施形態の情報表示装置の機能構成を示すブロック図である。
この図３に示すように、情報表示装置１は、端末操作指示部１４、コンテンツデータ格納部１５、コンテンツデータ読み出し部１６、ページ画像生成部１７、端末制御部１８、及び画面表示制御部１９を含んで構成される。
ここで、端末操作指示部１４はキーボタン２及びＩ／Ｏ３に対応し、コンテンツデータ格納部１５はリムーバブルメディア４１に対応し、コンテンツデータ読み出し部１６はコネクタ４に対応し、ページ画像生成部１７及び端末制御部１８はＣＰＵ８に対応し、画面表示制御部１９はディスプレイ制御部１０に対応する。
【００１７】
＜ＣＰＵの動作＞
次に、ＣＰＵ８で実行される情報表示処理を図４のフローチャートに基づいて説明する。この情報表示処理はキーボタン２から情報表示コマンドが出力されると実行される処理であって、まず、そのステップＳ１０１で、キーボタン２から情報表示コマンドが出力されているか否かを判定する。そして、情報表示コマンドが出力されている場合には（あり）ステップＳ１０２に移行し、情報表示コマンドが出力されていない場合には（なし）この判定を繰り返し実行する。
【００１８】
次にステップＳ１０２に移行して、情報表示装置１の電源スイッチがＯＮ状態であるか否かを判定する。そして、ＯＮ状態である場合には（ＯＮ）ステップＳ１０４に移行し、ＯＦＦ状態である場合には（ＯＦＦ）ステップＳ１０３に移行する。
前記ステップＳ１０３では、情報表示装置１の電源スイッチをＯＮ状態としてから、前記ステップＳ１０４に移行する。
【００１９】
前記ステップＳ１０４では、コネクタ４を介して、リムーバブルメディア４１から表示対象となるデータを読み出してＲＡＭ７に格納させる。
次にステップＳ１０５に移行して、前記ステップＳ１０４でＲＡＭ７に格納されたデータに基づいてページ画像を生成し、そのページ画像をＶＲＡＭ９に格納させる。
次にステップＳ１０６に移行して、前記ステップＳ１０５でＶＲＡＭ９に格納させたページ画像を（ＶＲＡＭ９に格納されているページ画像を）記憶性液晶表示体１１に描画させる描画コマンドをディスプレイ制御部１０に出力する。
【００２０】
次にステップＳ１０７に移行して、ディスプレイ制御部１０が描画動作中であるか否かを判定する。そして、描画動作中である場合には（描画終了）ステップＳ１０８に移行し、描画動作中ではない場合には（描画中）この判定を繰り返し実行する。
前記ステップＳ１０８では、情報表示装置１の電源スイッチをＯＦＦ状態としてから、この演算処理を終了する。
【００２１】
次に、ＣＰＵ８で実行される情報消去処理を図５のフローチャートに基づいて説明する。この情報消去処理は、記憶装置制御部５から取り外し信号が出力されると実行される処理であって、まず、そのステップＳ２０１で、記憶装置制御部５から取り外し信号が出力されているか否かを判定する。そして、取り外し信号が出力されている場合には（切り離し状態）ステップＳ２０２に移行し、取り外し信号が出力されていない場合には（接続状態）この判定を繰りかえし実行する。
【００２２】
前記ステップＳ２０２では、情報表示装置１の電源スイッチがＯＮ状態であるか否かを判定する。そして、ON状態である場合には（ON）ステップＳ２０４に移行し、ＯＦＦ状態である場合には（ＯＦＦ）ステップＳ２０３に移行する。
前記ステップＳ２０３では、情報表示装置１の電源スイッチをＯＮ状態としてから、前記ステップＳ２０４に移行する。
【００２３】
前記ステップＳ２０４では、ＶＲＡＭ９に格納されているページ画像のデータ値を全て「０」（黒色を示すデータ値）とする。
次にステップＳ２０５に移行して、ＲＡＭ７に格納されているデータを全て消去する。
次にステップＳ２０６に移行して、前記ステップＳ２０５でＶＲＡＭ９に格納させたページ画像のデータ値を記憶性液晶表示体１１に描画させる描画コマンドをディスプレイ制御部１０に出力する。
【００２４】
次にステップＳ２０７に移行して、ディスプレイ制御部１０が描画動作中であるか否かを判定する。そして、描画動作中である場合には（描画終了）ステップＳ２０８に移行し、描画動作中ではない場合には（描画中）この判定を繰り返し実行する。
前記ステップＳ２０８では、情報表示装置１の電源スイッチをＯＦＦ状態としてから、この演算処理を終了する。
【００２５】
＜情報表示装置の具体的動作＞
次に、本実施形態の情報表示装置の動作を具体的状況に基づいて説明する。
まず、利用者が情報表示装置１にリムーバブルメディア４１を取り付け、リムーバブルメディア４１に格納されている機密性の高い情報（機密情報）を表示するようにキーボタン２を操作したとする。すると、ＣＰＵ８によって、情報表示処理が実行され、図４に示すように、まず、そのステップＳ１０１の判定が「あり」となり、情報表示装置１の電源スイッチがＯＮ状態であるとすると、ステップＳ１０２の判定が「ＯＮ」となり、ステップＳ１０４で、コネクタ４を介して、リムーバブルメディア４１から機密情報のデータが読み出されてＲＡＭ７に格納され、ステップＳ１０５で、その格納されたデータに基づいてページ画像が生成され、そのページ画像がＶＲＡＭ９に格納され、ステップＳ１０６で、描画コマンドがディスプレイ制御部１０に出力される。そして、ディスプレイ制御部１０によって、ＶＲＡＭ９に格納されたページ画像が記憶性液晶表示体１１に描画される。
【００２６】
また、ページ画像の描画動作が終了すると、ステップＳ１０７の判定が「描画終了」となり、ステップＳ１０８で、情報表示装置１の電源スイッチがＯＦＦ状態とされる。
すなわち、機密情報のデータがＲＡＭ７に格納され、機密情報のページ画像がＶＲＡＭ９に格納され、機密情報が記憶性液晶表示体１１に表示された状態となる。
【００２７】
そして、記憶性液晶表示体１１に表示された機密情報の閲覧が終了し、利用者が情報表示装置１からリムーバブルメディア４１から取り外したとする。すると、ＣＰＵ８によって、情報消去処理が実行され、図５に示すように、まず、そのステップＳ２０１の判定が「切り離し状態」となり、情報表示装置１の電源スイッチがＯＮ状態であるとすると、ステップＳ２０２の判定が「ON」となり、ステップＳ２０４で、ＶＲＡＭ９に格納されているページ画像のデータ値が全て「０」とされ、ステップＳ２０５で、ＲＡＭ７に格納されているデータが全て消去され、ステップＳ２０６で、描画コマンドがディスプレイ制御部１０に出力される。そして、ディスプレイ制御部１０によって、ＶＲＡＭ９に格納されたページ画像のデータ値「０」（黒色）が記憶性液晶表示体１１に描画される。
【００２８】
また、黒色の描画動作が終了すると、ステップＳ２０７の判定が「描画終了」となり、ステップＳ２０８で、情報表示装置１の電源スイッチがＯＦＦ状態とされる。
すなわち、機密情報のデータがＲＡＭ７から消去され、機密情報のページ画像がＶＲＡＭ９から消去され、機密情報が記憶性液晶表示体１１から消去された状態となる。
【００２９】
このように、本実施形体の情報表示装置１にあっては、リムーバブルメディア４１が取り外されたことが検出されると、記憶性液晶表示体１１の表示内容を消去するようにした。そのため、情報表示装置１の使用を終え、利用者がリムーバブルメディア４１を取り外したときに、記憶性液晶表示体１１の表示内容を消去することができ、その結果、記憶性液晶表示体１１の表示内容が他人に見られることを防止することができる。
【００３０】
また、リムーバブルメディア４１が取り外されたことが検出されると、ＶＲＡＭ９に格納されているページ画像、及びＲＡＭ７に格納されているデータを消去するようにした。そのため、情報表示装置１の使用を終え、利用者がリムーバブルメディア４１を取り外したときに、ＶＲＡＭ９に格納されているページ画像、及びＲＡＭ７に格納されているデータを消去することができ、その結果、ＶＲＡＭ９に格納されている情報データやＲＡＭ７に格納されているデータが他人に読み取られることを防止することができる。
【００３１】
なお、本発明の情報表示装置は、上記実施の形態の内容に限定されるものではなく、本発明の趣旨を逸脱しない範囲で適宜変更可能である。
【図面の簡単な説明】
【００３２】
【図１】本発明の情報表示装置の一実施形態の外形を示す斜視図である。
【図２】図１の情報表示装置の内部構成を示すブロック図である。
【図３】図１の情報表示装置の機能構成を示すブロック図である。
【図４】図２のＣＰＵで実行される情報表示処理を示すフローチャートである。
【図５】図２のＣＰＵで実行される情報消去処理を示すフローチャートである。
【符号の説明】
【００３３】
１は情報表示装置、２はキーボタン、３はＩ／Ｏ、４はコネクタ、５は記憶装置制御部、６はＲＯＭ、７はＲＡＭ、８はＣＰＵ、９はＶＲＡＭ、１０はディスプレイ制御部、１１は記憶性液晶表示体、１２は電源制御部、１３はバッテリ、１４は端末操作指示部、１５はコンテンツデータ格納部、１６はコンテンツデータ読み出し部、１７はページ画像生成部、１８は端末制御部、１９は画面表示制御部
【図１】
2007219797.tif 000003
【図２】
2007219797.tif 000004
【図３】
2007219797.tif 000005
【図４】
2007219797.tif 000006
【図５】
2007219797.tif 000007